(57)【要約】【課題】識別コードの識別システム及びその識別カードの使用を提供する。【解決手段】識別カードはカード読み取り装置を利用し識別コードを識別させる。前記識別カードはカードケース、複数の電極の固定位置、及び少なくとも一つの特定導電電極を備える。電極の固定位置はカードケース内に配置される。特定導電電極は上述の複数の電極の固定位置の内の少なくとも一つの電極の固定位置に配置される。識別カード内に配置される特定導電電極が配置される位置は特定の識別コードに基づいて改変される。なお、カード読み取り装置は面形状の検知器を備える。識別カードがカード読み取り装置の面形状の検知器に接近すると、面形状の検知器は前記特定導電電極の位置に基づいて、前記識別カードの特定の識別コードを判断させる。【選択図】図１
2015207267.tif 000002
【特許請求の範囲】
【請求項１】
カード読み取り装置を利用して識別コードを識別する識別カードであって、前記識別カードは、
カードケースと、
前記カードケース内に並列に配置され、複数の第一特定導体電極が電気的に接続され、特定の識別コードが表示される複数の導体電極を備え、
また、前記カード読み取り装置は面形状の検知器を含み、前記識別カードが前記カード読み取り装置の面形状の検知器に接近すると、前記面形状の検知器は上述の電気的に接続されるこれら前記第一特定導体電極が構成させる形状に基づいて、上述の識別カードの前記特定の識別コードを判断させることを特徴とする識別カード。
【請求項２】
前記識別カードは、
前記複数の第一特定導体電極が共に電気的に接続される接地導体を更に備えることを特徴とする、請求項１に記載の識別カード。
【請求項３】
前記カード読み取り装置の前記面形状の検知器は面形状の容量式検知器であり、前記面形状の検知器は前記識別カード上の各導体電極及び前記面形状の容量式検知器により構成される容量値を検知させ、且つこれに基づいてこれら前記第一特定導体電極により構成される形状が判断され、前記識別カードが対応させる前記特定の識別コードが判断されることを特徴とする、請求項１に記載の識別カード。
【請求項４】
前記カード読み取り装置の前記面形状の検知器は面形状の容量式検知器であり、前記面形状の検知器は前記識別カード上の各導体電極及び前記面形状の容量式検知器により構成される容量が容量閾値より大きいか検知させ、かつこれに基づいてこれら前記第一特定導体電極により構成される形状が判断され、前記識別カードが対応させる前記特定の識別コードが判断されることを特徴とする、請求項１に記載の識別カード。
【請求項５】
これら前記導体電極の配列はＮ×Ｍの導体電極の配列になり、前記面形状の検知器は、
少なくともＮ×Ｍ個の信号送受信機で構成され、各これら前記信号送受信機の位置はこれら前記導体電極の位置に対応する信号送受信機の配列を備え、
ここでは測定周期は少なくともＮ×Ｍのタイムスロット（Ｔｉｍｅ  Ｓｌｏｔ）に分かれ、
また、第（ｉ、ｊ）タイムスロットで第（ｉ、ｊ）個の信号送受信機から電界パルスが発射され、且つ残りのこれら前記信号送受信機を受信機として前記電界パルスを受信させ、
これら前記第一特定導体電極の何れか一つの第一特定導体電極が前記電界パルスを受信させると、残りの第一特定導体電極が対応させる信号送受信機は共に前記電界パルスを受信させ、これにより、前記カード読み取り装置はこれら前記第一特定導体電極により構成される形状を判断させ、前記識別カードが対応させる前記特定の識別コードが判断され、ここでは、Ｎ、Ｍ、ｉ、ｊは正整数であることを特徴とする、請求項１に記載の識別カード。
【請求項６】
これら前記導体電極の複数の第二特定導体電極が電気的に接続され、これら前記第一特定導体電極はこれら前記第二特定導体電極に電気的に接続せず、
また、これら前記第二特定導体電極の何れか一つの第二特定導体電極により前記電界パルスが受信されると、残りの第二特定導体電極が対応させる信号送受信機が共に前記電界パルスを受信させ、これにより、前記カード読み取り装置はこれら前記第一特定導体電極及びこれら前記第二導体電極により構成される形状を判断させ、前記識別カードが対応させる前記特定の識別コードが判断されることを特徴とする、請求項５に記載の識別カード。
【請求項７】
これら前記導体電極の配列はＮ×Ｍの導体電極の配列になり、前記面形状の検知器は、
少なくともＮ×Ｍ個の検出電極で構成され、各これら前記検出電極の位置はこれら前記導体電極の位置に対応する検出電極の配列を備え、
ここでは、測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の検出電極により容量の検知が行われ、残りの検出電極は静置状態で設置され、論理低電位としての設置が行われ、
第（ｉ、ｊ）タイムスロットで前記カード読み取り装置は前記識別カード中の第（ｉ、ｊ）個の導体電極及び第（ｉ、ｊ）個の検出電極により構成される容量値を検知させ、且つこれらに基づいてこれら前記第一特定導体電極により構成される形状が判断され、前記識別カードが対応させる前記特定の識別コードが判断され、ここでは、Ｎ、Ｍ、ｉ、ｊは正整数であることを特徴とする、請求項１に記載の識別カード。
【請求項８】
第（ｉ、ｊ）タイムスロットで前記カード読み取り装置は前記識別カード中の第（ｉ、ｊ）個の導体電極及び第（ｉ、ｊ）個の検出電極により構成される容量値が閾値より大きか検知させ、且つこれらに基づいてこれら前記第一特定導体電極により構成される形状が判断され、前記識別カードが対応させる前記特定の識別コードが判断されることをさらに含むことを特徴とする、請求項７に記載の識別カード。
【請求項９】
前記カード読み取り装置はスマートフォンであり、前記面形状の検知器係は前記スマートフォンのタッチパネルであることを特徴とする、請求項１に記載の識別カード。
【請求項１０】
少なくとも一枚の識別カードと、
識別コードの識別を行うカード読み取り装置を備え、各これら前記識別カードは、
カードケースと、
前記カードケースに並列に配置され、複数の第一特定導体電極が電気的に接続され、特定の識別コードが表示される複数の導体電極を更に備え、
また、前記カード読み取り装置は、
前記識別カードが前記カード読み取り装置の前記面形状の検知器に接近すると、前記面形状の検知器は上述の電気的に接続されるこれら前記第一特定導体電極により構成される形状に基づいて、前記識別カードの前記特定の識別コードを判断させる面形状の検知器を更に含むことを特徴とする識別コードの識別システム。
【請求項１１】
前記識別カードは、
前記複数の第一特定導体電極が共に電気的に接続される接地導体を更に備えることを特徴とする、請求項１０に記載の識別コードの識別システム。
【請求項１２】
前記カード読み取り装置の前記面形状の検知器は面形状の容量式検知器であり、前記面形状の検知器は前記識別カード上の各導体電極及び前記面形状の容量式検知器により構成される容量値を検知させ、且つこれらに基づいてこれら前記第一特定導体電極により構成される形状が判断され、前記識別カードが対応させる前記特定の識別コードが判断されることを特徴とする、請求項１０に記載の識別コードの識別システム。
【請求項１３】
前記カード読み取り装置の前記面形状の検知器は面形状の容量式検知器であり、前記面形状の検知器は前記識別カード上の各導体電極及び前記面形状の容量式検知器により構成される容量が容量閾値より大きいか検知させ、且つこれらに基づいてこれら前記第一特定導体電極により構成される形状が判断され、前記識別カードが対応させる前記特定の識別コードが判断されることを特徴とする、請求項１０に記載の識別コードの識別システム。
【請求項１４】
これら前記導体電極の配列はＮ×Ｍの導体電極の配列になり、前記面形状の検知器は、
少なくともＮ×Ｍ個の信号送受信機で構成され、各これら前記信号送受信機の位置はこれら前記導体電極の位置に対応する信号送受信機の配列を備え、
ここでは測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の信号送受信機から電界パルスが発射され、且つ残りのこれら前記信号送受信機を受信機として前記電界パルスを受信させ、
これら前記第一特定導体電極の何れか一つの第一特定導体電極が前記電界パルスを受信させると、残りの第一特定導体電極が対応させる信号送受信機は共に前記電界パルスを受信させ、これにより、前記カード読み取り装置はこれら前記第一特定導体電極により構成される形状を判断させ、前記識別カードが対応させる前記特定の識別コードが判断され、ここではＮ、Ｍ、ｉ、ｊは正整数であることを特徴とする、請求項１０に記載の識別コードの識別システム。
【請求項１５】
これら前記導体電極の複数の第二特定導体電極が電気的に接続され、これら前記第一特定導体電極はこれら前記第二特定導体電極に電気的に接続されず、
また、これら前記第二特定導体電極の何れか一つの第二特定導体電極が前記電界パルスを受信させると、残りの第二特定導体電極が対応させる信号送受信機は共に前記電界パルスを受信させ、これにより、前記カード読み取り装置はこれら前記第一特定導体電極及びこれら前記第二導体電極により構成される形状を判断させ、前記識別カードが対応させる前記特定の識別コードが判断されることを特徴とする、請求項１４に記載の識別コードの識別システム。
【請求項１６】
これら前記導体電極の配列はＮ×Ｍの導体電極の配列になり、前記面形状の検知器は、
少なくともＮ×Ｍ個の検出電極で構成され、各これら前記検出電極の位置はこれら前記導体電極の位置に対応する検出電極の配列を備え、
ここでは、測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の検出電極により容量検知が行われ、残りの検出電極は静置状態で設置され、論理低電位での設置が行われ、
第（ｉ、ｊ）タイムスロットで前記カード読み取り装置は前記識別カード中の第（ｉ、ｊ）個の導体電極及び第（ｉ、ｊ）個の検出電極により構成される容量値を検知させ、且つこれらに基づいてこれら前記第一特定導体電極により構成される形状が判断され、前記識別カードが対応させる前記特定の識別コードが判断され、ここではＮ、Ｍ、ｉ、ｊは正整数であることを特徴とする、請求項１０に記載の識別コードの識別システム。
【請求項１７】
第（ｉ、ｊ）タイムスロットで前記カード読み取り装置は前記識別カード中の第（ｉ、ｊ）個の導体電極及び第（ｉ、ｊ）個の検出電極により構成される容量値が閾値より大きいか検知させ、且つこれらに基づいてこれら前記第一特定導体電極により構成される形状が判断され、前記識別カードが対応させる前記特定の識別コードが判断されることを含むを特徴とする、請求項１６に記載の識別コードの識別システム。
【請求項１８】
前記カード読み取り装置はスマートフォンであり、前記面形状の検知器は前記スマートフォンのタッチパネルであることを特徴とする、請求項１０に記載の識別コードの識別システム。
【請求項１９】
カード読み取り装置を利用し識別コードを識別させる識別カードであって、前記識別カードは、
カードケースと、
前記カードケース内に配置される複数の電極の固定位置と、
上述の複数の電極の固定位置の内の少なくとも一つの電極の固定位置に配置される少なくとも一つの特定導電電極を備え、
ここでは、前記識別カード内に配置される特定導電電極の位置は特定の識別コードに基づいて改変され、また、前記カード読み取り装置は面形状の検知器を更に含み、
前記識別カードが前記カード読み取り装置の面形状の検知器に接近すると、前記面形状の検知器は前記特定の導電電極の位置に基づいて、上述の識別カードの前記特定の識別コードを判断させることを特徴とする識別カード。
【請求項２０】
前記カード読み取り装置の前記面形状の検知器は面形状の容量式検知器であり、
ここでは、前記面形状の検知器は前記識別カード上の各電極の固定位置及び前記面形状の容量式検知器により構成される容量が容量閾値より大きいか検知され、且つこれらに基づいてこれら前記特定導体電極の位置が判断され、前記識別カードが対応させる前記特定の識別コードが判断されることを特徴とする、請求項１９に記載の識別カード。
【請求項２１】
前記カード読み取り装置はスマートフォンであり、前記面形状の検知器は前記スマートフォンのタッチパネルであることを特徴とする、請求項１９に記載の識別カード。
【発明の詳細な説明】
【技術分野】
【０００１】
本発明は、非接触型の識別コードの識別技術に関し、より詳しくは、識別コードの識別システム及びその識別カードの使用に関する。
【背景技術】
【０００２】
科学技術の進歩及び電子識別コード検知技術の発展に伴い、一部の国家機関、オフィス、実験室、エレベーター、自動車等の空間には、秘密保持及び安全上の理由から個人認証システムが装備されるようになり、識別カードを検知し、正しい識別カードを提示した者のみが進入可能となる。また、多くのショッピングエリア、アミューズメント施設、或いは公共施設内にある子供が好きなアーケードゲーム等の多くでも、ゲームの識別カードをゲーム機台のカード読み取り機にかざし識別させた後、前記カードの戦闘能力を確定させてからゲームをプレイする。
【０００３】
現在の電子識別コード検知の多くにはＲＦＩＤ（Ｒａｄｉｏ  Ｆｒｅｑｕｅｎｃｙ  Ｉｄｅｎｔｉｆｉｃａｔｉｏｎ、ＲＦＩＤ）及び磁気ストライプ等の技術が使用されている。ＲＦＩＤは無線電波を用いてデータをカードに付着されるタグ（ｔａｇ）から伝送させ、データ伝送及び識別を行う。
【発明の概要】
【発明が解決しようとする課題】
【０００４】
しかしながら、前述した従来の無線識別技術では、ＲＦＩＤカード内に少なくともコイル及び演算機能を有するチップが必要であるため、カード自体の製造コストが高かった。磁気ストライプの識別技術にはストライプ形状の磁性材料が用いられてデータを保存させる。磁気ストライプは磁気ヘッドに物理的に接触させねばならず、磁気ストライプを磁気ヘッドに読み取らせてデータを読み書きする。磁気ストライプを読み取るには使用者がカードをかざさねばならないが、カードリーダーにはデータ読み取り用の磁気ヘッド及びカード読み取り機構が組み込まれるため、カードリーダーのコストが上昇した。更に、磁気ストライプを一定時間使用すると、消磁する可能性がある。
【０００５】
そこで、本発明者は上記の欠点が改善可能と考え、鋭意検討を重ねた結果、合理的設計で上記の課題を効果的に改善する本発明の識別コードの識別システム及びその識別カードの使用の提案に到った。
【０００６】
本発明は、このような従来の問題に鑑みてなされたものである。上記課題解決のため、本発明は、識別カードを提供することを目的の一とする。すなわち、カード内の複数の導体片が電気的に接続されることで構成されるパターン（Ｐａｔｔｅｒｎ）により識別コードを保存し、カードの製造コストを削減させる。
【０００７】
なお、本発明は、識別カードの識別システムを提供することを目的の一とする。すなわち、識別カードの複数の導体片の位置、或いは複数の導体片が電気的に接続されることで構成されるパターンを検知させ、上述の識別カードの前記特定の識別コードを判断させる。
【０００８】
さらに、本発明は、識別カードを提供することを目的の一とする。すなわち、前記識別カードは導電電極の位置を利用し識別コードを表示させ、カードの製造コストを削減させる。
【課題を解決するための手段】
【０００９】
上述した課題を解決し、目的を達成するために、請求項１９に記載の識別カードは、カード読み取り装置を利用し識別コードを識別させる識別カードであって、前記識別カードは、
カードケースと、
前記カードケース内に配置される複数の電極の固定位置と、
上述の複数の電極の固定位置の内の少なくとも一つの電極の固定位置に配置される少なくとも一つの特定導電電極を備え、
ここでは、前記識別カード内に配置される特定導電電極の位置は特定の識別コードに基づいて改変され、また、前記カード読み取り装置は面形状の検知器を更に含み、
前記識別カードが前記カード読み取り装置の面形状の検知器に接近すると、前記面形状の検知器は前記特定の導電電極の位置に基づいて、上述の識別カードの前記特定の識別コードを判断させることを特徴とする識別カード。
【００１０】
請求項１に記載の識別カードは、カード読み取り装置を利用して識別コードを識別する識別カードであって、前記識別カードは、
カードケースと、
前記カードケース内に並列に配置され、複数の第一特定導体電極が電気的に接続され、特定の識別コードが表示される複数の導体電極を備え、
また、前記カード読み取り装置は面形状の検知器を含み、前記識別カードが前記カード読み取り装置の面形状の検知器に接近すると、前記面形状の検知器は上述の電気的に接続されるこれら前記第一特定導体電極が構成させる形状に基づいて、上述の識別カードの前記特定の識別コードを判断させることを特徴とする識別カード。
【００１１】
請求項１０に記載の識別カードの識別システムは、
少なくとも一枚の識別カードと、
識別コードの識別を行うカード読み取り装置を備え、各これら前記識別カードは、
カードケースと、
前記カードケースに並列に配置され、複数の第一特定導体電極が電気的に接続され、特定の識別コードが表示される複数の導体電極を更に備え、
また、前記カード読み取り装置は、
前記識別カードが前記カード読み取り装置の前記面形状の検知器に接近すると、前記面形状の検知器は上述の電気的に接続されるこれら前記第一特定導体電極により構成される形状に基づいて、前記識別カードの前記特定の識別コードを判断させる面形状の検知器を更に含むことを特徴とする識別カードの識別システム。
【００１２】
なお、請求項１１に記載の識別カードの識別システムは、前記識別カードは、前記複数の第一特定導体電極が共に電気的に接続される接地導体を更に備えることを特徴とする識別カードの識別システム。
【００１３】
また、請求項１２に記載の識別カードの識別システムは、上述のカード読み取り装置の前記面形状の検知器は面形状の容量式検知器であり、前記面形状の検知器は前記識別カード上の各導電電極及び前記面形状の容量式検知器により構成される容量値を検知させ、且つこれらに基づいてこれら前記第一特定導体電極により構成される形状が判断され、前記識別カードが対応させる前記特定の識別コードが判断されることを特徴とする識別カードの識別システム。
【００１４】
さらに、請求項１４に記載の識別カードの識別システムは、これら前記導体電極の配列はＮ×Ｍの導体電極の配列になり、前記面形状の検知器は、
少なくともＮ×Ｍ個の信号送受信機で構成され、各これら前記信号送受信機の位置はこれら前記導体電極の位置に対応する信号送受信機の配列を備え、
ここでは測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の信号送受信機から電界パルスが発射され、且つ残りのこれら前記信号送受信機を受信機として前記電界パルスを受信させ、
これら前記第一特定導体電極の何れか一つの第一特定導体電極が前記電界パルスを受信させると、残りの第一特定導体電極が対応させる信号送受信機は共に前記電界パルスを受信させ、これにより、前記カード読み取り装置はこれら前記第一特定導体電極により構成される形状を判断させ、前記識別カードが対応させる前記特定の識別コードが判断され、ここではＮ、Ｍ、ｉ、ｊは正整数であることを特徴とする識別カードの識別システム。
【００１５】
請求項１８に記載の識別カードの識別システムは、上述のカード読み取り装置はスマートフォンであり、前記面形状の検知器は前記スマートフォンのタッチパネルであることを特徴とする識別カードの識別システム。
【発明の効果】
【００１６】
本発明によれば、導体電極の配列の組合せを利用し、異なるパターンを形成させる。即ち、カード読み取り装置は検知装置を用いるのみで導体電極（Ｃｏｎｄｕｃｔｏｒ  Ｐａｄ）の位置或いは数量を判断可能であり、これにより識別カードが対応させる識別コードを判断させる。検知装置は容量を検知させる装置、或いは金属検知、または電磁気検知装置により実施される。カード内部の導体片の配列の組合せを識別コードとして用いるため、識別カードの製造コストを削減できる。
【図面の簡単な説明】
【００１７】
【図１】本発明の一実施形態に係る識別カードを示す概略図である。
【図２Ａ】本発明の一実施形態に係る特定の識別コードを有する識別カードを示す概略図である。
【図２Ｂ】本発明の一実施形態に係る特定の識別コードを有する識別カードを示す概略図である。
【図３Ａ】本発明の一実施形態に係る特定の識別コードを有する識別カードを示す概略図である。
【図３Ｂ】本発明の一実施形態に係る特定の識別コードを有する識別カードを示す概略図である。
【図４Ａ】本発明の一実施形態に係る特定の識別コードを有する識別カードを示す概略図である。
【図４Ｂ】本発明の一実施形態に係る特定の識別コードを有する識別カードを示す概略図である。
【図５Ａ】本発明の一実施形態に係る特定の識別コードを有する識別カードを示す概略図である。
【図５Ｂ】本発明の一実施形態に係る特定の識別コードを有する識別カードを示す概略図である。
【図６】本発明の一実施形態に係るカード読み取り装置を示す回路ブロック図である。
【図７】従来の容量検知技術を示す概略図である。
【図８】本発明の一実施形態に係る容量検知を示す概略図である。
【図９】本発明の一実施形態に係る容量検知を示す概略図である。
【図１０Ａ】本発明の一実施形態に係る識別カードを示す概略図である。
【図１０Ｂ】本発明の一実施形態に係る識別カードを示す概略図である。
【図１１】本発明の一実施形態に係るカード読み取り装置を示す回路ブロック図である。
【図１２】本発明の一実施形態に係る電界検知を示す概略図である。
【図１３】本発明の一実施形態に係る信号送受信機１１０３―１〜１１０３―８から発射した電界パルスを示す波形図である。
【図１４】本発明の一実施形態に係る識別コードの識別システムを示す概略図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１は本発明の一実施形態に係る識別カードを示す概略図である。この好ましい実施形態では、前記識別カードは、カードケース１０１、複数の導体電極１０２―１〜１０２―８及び接地導体１０３を備える。また、接地導体は、例えば図１の斜線のようにカード中に分布される。導体電極１０２―１〜１０２―８はカードケース１０１内に配列され、導体電極１０２―１〜１０２―８の周囲には４本の接続線が配置される。図１に示すように、導体電極１０２―１〜１０２―８は全て接地導体１０３に電気的に接続される。
【００２０】
上述の図１は出荷したばかりの識別コードが未設定のカードである。カードの識別コードを設定する場合、メーカーや設計者は図１の不要な接続線を除去するのみで、異なる識別コードを形成できる（図２Ａ及び図２Ｂ参照）。図２Ａ及び図２Ｂは本発明の一実施形態に係る特定の識別コードを有する識別カードを示す概略図である。この好ましい実施形態では、前記識別カードはカードケース２０１、複数の導体電極２０２―１〜２０２―８、及び接地導体２０３を備える。図２Ａ及び図２Ｂによると、識別カード内の導電電極２０２―１〜２０２―８は接地導体２０３に電気的に接続される４個の導電電極のみを有する。図２Ａ及び図２Ｂの導体電極２０２―１〜２０２―８の電気的接続状態には相異があり、異なる識別コードを表す。例えば、各導体電極２０２―１〜２０２―８の位置を仮設定させ、全て１ビットを表し、導体電極２０２―１は最上位ビット（Ｍｏｓｔ  Ｓｉｇｎｉｆｉｃａｎｔ  Ｂｉｔ、ＭＳＢ）を表し、導体電極２０２―８は最下位ビット（Ｌｅａｓｔ  Ｓｉｇｎｉｆｉｃａｎｔ  Ｂｉｔ、ＬＳＢ）を表す。図２Ａの識別コードのバイナリコードは『０１０１１０１０』と表示され、また図２Ｂの識別コードのバイナリコードは『００１１１１００』と表示される。
【００２１】
上述の実施形態に係る識別カードの長所は、カードのコストが極めて低く量産に向く点である。例えば、本実施形態に係る識別カードは、プリント基板（Ｐｒｉｎｔ  Ｃｉｒｃｕｉｔ  Ｂｏａｒｄ、ＰＣＢ）を利用して量産される。
【００２２】
上述の図２Ａ及び図２Ｂによれば、複数の導体電極２０２―１〜２０２―８と接地導体２０３との電気的接続関係により識別コードが決定される。本発明の他の好適な実施の形態において、識別カード内には接地導体２０３が使用されず、導体電極２０２―１〜２０２―８の間の電気的接続関係を利用するのみで、カードに保存される特定の識別コードが決定される。また、図３Ａ及び図３Ｂは本発明の一実施形態に係る特定の識別コードを有する識別カードを示す概略図である。この好ましい実施形態では、各導体電極３０２―１〜３０２―８は全て上下左右の導体電極に接続され、特定の識別コードが表示される。また、図３Ｂの識別カードでは５個の導体電極３０２―１〜３０２―５のみが相互に電気的に接続され、前記識別カードには他の識別コードが表示される。上述の図２Ａ、図２Ｂ、図３Ａ、及び図３Ｂの導体電極間の電気的接続は全て垂直或いは水平に導線が接続され、本技術分野で通常知識を有する者ならば、本発明は導線の形態及び位置が限定されず、上述の導線も斜線や曲線等でもよいことが理解でき、本発明はこれに限定されない。このほか、本発明は導体電極の周囲の接続線の本数も制限されない。
【００２３】
本発明の他の好適な実施の形態において、例えば、識別カードは接地導体及び導線を使用せずに、複数の導体電極の位置のみでカードに保存される特定の識別コードを決定させる（図４Ａ及び図４Ｂ参照）。図４Ａ及び図４Ｂは本発明の一実施形態に係る特定の識別コードを有する識別カードを示す概略図である。この好ましい実施形態では、識別カード内の導体電極の位置が異なり、異なる識別コードを表す。同様に、各導体電極４０２―１〜４０２―８の位置を仮設定し、全て１ビットを表す。導体電極４０２―１の位置は最上位ビット（Ｍｏｓｔ  Ｓｉｇｎｉｆｉｃａｎｔ  Ｂｉｔ、ＭＳＢ）を表し、導体電極４０２―８の位置は最下位ビット（Ｌｅａｓｔ  Ｓｉｇｎｉｆｉｃａｎｔ  Ｂｉｔ、ＬＳＢ）を表す。このため、図４Ａの識別コードのバイナリコードは『１１０１０１１１』と表示され、図４Ｂの識別コードのバイナリコードは『０１０１１１１０』と表示される。
【００２４】
また、上述の図２Ａ乃至図４Ｂの各識別カードは異なる特定の識別コードの態様を説明するための例示に過ぎず、本発明では通常知識を有する者ならば、識別カードの態様が上述の例示に限られないと理解できる。例えば、上述の識別カードは全て４×２の導体電極の配列を例にとるが、本技術分野で通常知識を有する者ならば、異なる設計に合わせて導体電極の配列の大きさを改変可能であると理解できる。識別コードは導体電極と接地導体との間の電気的接続関係、或いは導体電極間の接続関係、ないしは導体電極の位置に基づき異なる識別コードが表示され、これは本発明の識別カードの範疇であり、本発明はこれに制限されない。
【００２５】
さらに、上述の図２Ａ乃至図４Ｂの実施形態は方形の配列を例にするが、本技術分野で通常知識を有する者ならば、導体電極の配列方式は異なる設計に合わせて改変可能であると分かる。この好ましい実施形態では、識別カードの態様を提供する（図５Ａ及び図５Ｂ参照）。図５Ａ及び図５Ｂは本発明の一実施形態に係る特定の識別コードを有する識別カードを示す概略図である。各円は導体電極を表し、導体電極間の電気的接続により北斗七星の配列を形成させる。本実施形態に係る識別カードの導体電極間の電気的接続形状は、使用者或いはメーカーが自由に設計でき、識別カードの趣向性及び識別度を向上させる。また、内部の導体電極の電気的接続パターンが異なる場合、異なる識別コードが表示される。
【００２６】
なお、上述の識別カードのカードの外形は全て長方形であり、本分野で通常知識を有する者ならば、本発明に係る識別カードは楕円形や正方形等でもよく、本発明はカードの形状が制限されない事が理解できる。このほか、カードケースが内部の導体の物理的特性に影響を与えない様にするため、カードケースはプラスチック或いは紙等の材料により製造される。
【００２７】
本分野で通常知識を有する者ならば、本実施形態により本発明を実施可能であり、実施には上述の図２Ａ乃至図４Ｂの識別カードを読み取るためのカード読み取り装置が必要である。図６は本発明の一実施形態に係るカード読み取り装置を示す回路ブロック図である。カード読み取り装置６００は、複数の検出電極６０２―１〜６０２―８及びマイクロプロセッサ６０１を備える。ここでは、カード読み取り装置は例えば面型検知器であり、検出電極６０２―１〜６０２―８は平面上に分布され、前記平面上に放置される識別カード内部の検出電極を検知させる。カード読み取り装置６００がカードを識別すると、検出電極６０２―１〜６０２―８及び上述の識別カード内の導体電極１０２―１〜１０２―８の位置が相互に対応し、マイクロプロセッサ８０１により各検出電極６０２―１〜６０２―８の検知結果が受信され、カード中の導体電極の電気的接続関係が判断される。
【００２８】
この好ましい実施形態では、カード読み取り装置の検知技術には、例えば容量検知、電磁検知、或いは電界検知等が用いられ、識別カードの導体電極の電気的接続関係を検知可能な技術であれば本発明に係るカード読み取り装置に応用可能である。説明し易くするため、本実施形態に係るカード読み取り装置が識別コードをどのように識別するかは、以下にカード読み取り装置が容量検知技術を利用するものを仮定して説明する。
【００２９】
従来の接触式容量検知は使用者の手が検出電極（Ｔｏｕｃｈ  Ｓｅｎｓｏｒ  Ｐａｄ）に接近すると、周囲の検出電極により容量値の変化が検知され、電極後端の回路の検知された容量値の変化が検知され、使用者が検出電極に接近していると判断される（図７参照）。図７は従来の容量検知技術を示す概略図である。部材７０１、部材７０２、及び部材７０３は全て検知装置であり、上方には絶縁材料７０４を有する。使用者の指が接近すると、人体は接地導体となるため容量値が改変される。
【００３０】
本実施形態では上述の容量検知技術を用い、識別カードの特定の識別コードの検知を実現させる。図８は本発明の一実施形態に係る容量検知を示す概略図である。部材８０１〜８０３は例えばカード読み取り装置６００内の検出電極であり、部材８０４は例えば識別カード内の導体電極である。接地される導体電極８０４が検出電極８０１〜８０３に接近すると、接地される導体電極８０４と検出電極８０２との間に検知容量が発生する。本実施形態に係るカード読み取り装置６００により図２Ａの識別カードを読み取ると、接地導体に接続される導体電極２０２―２、導体電極２０２―４、導体電極２０２―５、及び導体電極２０２―７と検出電極６０２―２、検出電極６０２―４、検出電極６０２―５、及び６０２―７との間には大きな検知容量が発生し、マイクロプロセッサ８０１により図２Ａの特定の識別コードが判断される（図６及び図２Ａ参照）。
【００３１】
上述の実施形態に係るカード読み取り装置は４×２個の検出電極６０２―１〜６０２―８を備え、本技術分野で通常知識を有する者ならば、カード読み取り装置は４×２個以上の検出電極を備えるのみで、４×２個の導体電極を有する識別カードを検知できると分かる。換言すれば、カード読み取り装置は例えば１０×１０個の検出電極を備える。検知方法は同じであるため、再述は省く。
【００３２】
図９は本発明の一実施形態に係る容量検知を示す概略図である。部材９０１及び部材９０２は識別カード内の導体電極であり、導体電極９０１は導体電極９０２に電気的に接続される。部材９０３、部材９０４、及び部材９０５はカード読み取り装置６００内の検出電極である。電気的に接続される導体電極９０１及び導体電極９０２が検出電極９０３及び検出電極９０４に接近すると、電気的に接続される検出電極間には検知容量が発生し、上述の図８と同じ効果を達成させる。しかしながら、導体電極９０１及び導体電極９０２は通常は非常に薄い金属であるため、導体電極９０１及び検出電極の金属が薄過ぎたり小さ過ぎると、検出電極の感度（Ｓｅｎｓｉｔｉｖｉｔｙ）が十分高まらず、検知エラーが発生し易くなる。然しながら、検出電極の感度を高めると、機器の誤判断が発生し易くなる（例えば、使用者の指の容量の干渉等）。本実施形態では時分割多重化（Ｔｉｍｅ  Ｄｉｖｉｓｉｏｎ  Ｍｕｌｔｉｐｌｅｘ）の検知方式を提供する。検出電極９０４が容量値を検知させると、検出電極９０３及び検出電極９０５は静置状態になり、この際、読み取り装置のマイクロプロセッサには例えば將検出電極９０３及び將検出電極９０５が論理低電位に設置される。この際、低電位に設置される検出電極９０３は上述の導体電極９０１と共に容量効果を形成させる。この際、検出電極９０４は大きな容量値を検知させる。換言すれば、静置状態の検出電極９０３及び検出電極９０５は接地され、動作する検出電極９０４が検知させる容量値を増加させ、検出電極の感度（Ｓｅｎｓｉｔｉｖｉｔｙ）を高める必要がなく、機器の誤判断も有効的に回避させる。  
【００３３】
従って、上述のカード読み取り装置６００のマイクロプロセッサ６０１は各検出電極６０２―１〜６０２―８の容量値を同時に検知させ、上述の時分割多重化方式により実行してもよい。例えば、検出電極６０２―１の容量値を検知させる場合、他の検出電極６０２―２〜６０２―８は静置状態になる。次に、検出電極６０２―２の容量値を検知させる場合、他の検出電極６０２―１及び検出電極６０２―３〜６０２―８は静置状態になる。これにより、他の検出電極６０２―３〜６０２―８の容量値を順に検知させる。各検出電極の容量値が検知され、容量値が閾値より大きい場合、対応する検知結果は１と記録されるか、反対に、対応する検知結果は０と記録される。上述の図３Ｂを例にすれば、検知結果は『１１１１１０００』となる。
【００３４】
識別カードを読み取る場合、導体電極が発生させる検知容量には限度があり、上述の図３Ｂの識別カード内部の導体電極は接地導体に電気的に未接続になり、カード読み取り装置が検知させる検知容量値は小さく、容易に検知エラー及び識別コードの誤判断を引き起こす。上述の時分割多重化され静置される検出電極の接地方式では、毎回検知される容量値が大きくなり、また検知される容量値も周囲の環境による検知容量への干渉（例えば、使用者の指等）を受け難く、検知の精度を高める。
【００３５】
応用の異なる識別カードを区別するため、或いは識別カードの真偽を判断するため、本実施形態ではカード読み取り装置６００の１つから複数の検出電極が接地を維持させるよう設計される。例えば、カード読み取り装置の検出電極６０２―１が接地を維持させるよう設計し、識別カードの検出電極６０２―１に対応する導体電極を３０２―１と仮設定させる。前述の設計による識別カードの異なる各種識別コードに対応する導体電極３０２―１は他の導体電極に電気的に接続させる必要がある（図３Ａ及び図３Ｂ参照）。上述の図３Ｂを例すると、図３Ｂの検知では、検出電極６０２―１は静置状態に設計され、検出電極６０２―２〜６０２―５が検知させる容量値は検出電極６０２―６〜６０２―８が検知させる容量値よりも明確に高くなる。何者かが前述の識別カードを不正使用を試みても、カードの共に電気的に接続される導体電極の位置を知らなければ、識別カードの偽造やクラックは出来ず、カード読み取り装置はカードの導体電極が接続されない最初の導体電極３０２―１検知させるのみで、前記カードが不適合（Ｕｎｑｕａｌｉｆｉｅｄ）の識別コードを有すると判断させる。
【００３６】
上述のカード読み取り装置は対応する導体電極の容量のみを読み取り、閾値より大きいかにより対応するバイナリコードを判断させるが、しかしながら、検出電極は検知容量の変化の有無のほか、検知容量の変化の大きさも検知させる。図１０Ａは本発明の一実施形態に係る識別カードを示す概略図である。各導体電極１００２―１〜１００２―８上の数字はカードリーダーの対応する検出電極が検知させた容量値の大きさの関係を表す。検知された容量値の大きさに基づき、前記実施形態の図１０Ａの識別カードが表す識別コードの生データ（ＲＡＷ  ＤＡＴＡ）が『３３２２３２２１』であると判断される。図１０Ｂは本発明の一実施形態に係る識別カードを示す概略図である。同様に、各導体電極１００２―１〜１００２―８上の数字はカード読み取り装置が対応させる検出電極が検知させた容量値の大きさの関係を表す。検知された容量値の大きさに基づき、前記実施形態の図１０Ｂの識別カードが表す識別コードの生データ（ＲＡＷ  ＤＡＴＡ）は『５５５５５３３３』であると判断される。
【００３７】
本技術分野に習熟する者ならば、本実施形態により本発明を実施させる事ができ、以下では本実施形態ではカード読み取り装置の他の実施方式を提供する。図１１は本発明の一実施形態に係るカード読み取り装置を示す回路ブロック図である。カード読み取り装置１１００は信号送受信機の配列１１０１及びマイクロプロセッサ１１０２を備える。信号送受信機の配列１１０１は複数の信号送受信機１１０３―１〜１１０３―８を含み、接続関係は図示のようになる。各信号送受信機１１０３―１〜１１０３―８の位置は識別カードの導体電極の位置に対応する。
【００３８】
図１２は本発明の一実施形態に係る電界検知を示す概略図である。発射電極１２０１は電界パルスを発射させる。受信電極１２０２の上方の導体電極１２０３が発射電極１２０１の上方の導体電極１２０４に電気的に接続される場合、受信電極１２０２は電界パルスを同調して受信させる。
【００３９】
図１３は本発明の一実施形態に係る信号送受信機１１０３―１〜１１０３―８から発射した電界パルスを示す波形図である。符号１３０１は信号送受信機１００３―１の波形を表し、符号１３０２は信号送受信機１１０３―２の波形を表し、符号１３０３は信号送受信機１１０３―３の波形を表し、符号１３０４は信号送受信機１１０３―４の波形を表し、符号１３０５は信号送受信機１１０３―５の波形を表し、符号１３０６は信号送受信機１１０３―６の波形を表し、符号１３０７は信号送受信機１１０３―７の波形を表し、符号１３０８は信号送受信機１１０３―８の波形を表す（図１１及び図１３参照）。
【００４０】
測定周期ＴＤＥＴ内の第一サブ期間Ｔ１でマイクロプロセッサ１１０２は信号送受信機１１０３―１を制御させて電界パルスを発射させ、信号送受信機１１０３―２〜１１０３―８を制御させて信号を受信させる。測定周期ＴＤＥＴ内の第一サブ期間Ｔ２でマイクロプロセッサ１１０２は信号送受信機１１０３―２を制御させて電界パルスを発射させ、信号送受信機１１０３―１及び信号送受信機１１０３―３〜１１０３―８を制御させて信号を受信させる。残りのサブ期間Ｔ３〜Ｔ８の操作は本技術分野に習熟する者ならば以上の説明から類推できる。
【００４１】
ここでは、カード読み取り装置１１００が図１０Ａに掲示する識別カードを検知すると仮定する。図１０Ａ、図１１及び図１３を参照しながら説明する。まず、信号送受信機１１０３―１が電界パルスを発射させ、図１０Ａの識別カード内の導体電極１００２―１、導体電極１００２―２及び導体電極１００２―５が相互に電気的に接続され、これにより信号送受信機１１０３―１が発射させた電界パルスの第一サブ期間Ｔ１で信号送受信機１１０３―２及び信号送受信機１１０３―５は共に前記電界パルスを受信させ、同様に受信中の信号発射器１１０３―３〜１１０３―４及び信号発射器１１０３―６〜１１０３―８は電界パルスを受信させず、マイクロプロセッサ１１０２は導体電極１００２―１、導体電極１００２―２及び導体電極１００２―５が相互に電気的に接続されていると判断させる。続いて、信号送受信機１１０３―２は電界パルスを発射させ、図１０Ａの識別カード内の導体電極１００２―１、導体電極１００２―２及び導体電極１００２―５が相互に電気的に接続され、これにより、信号送受信機１１０３―２が電界パルスを発射させる第二サブ期間Ｔ２で信号送受信機１１０３―１及び信号送受信機１１０３―５は共に前記電界パルスを受信させ、信号発射器１１０３―３〜１１０３―４及び信号発射器１１０３―６〜１１０３―８は電界パルスを受信させない。
【００４２】
ここから類推できるように、第三サブ期間Ｔ３で信号送受信機１１０３―４が前記電界パルスを受信させ、信号発射器１１０３―１〜１１０３―２及び信号発射器１１０３―５〜１１０３―８は電界パルスを受信させない。第四サブ期間Ｔ４で信号送受信機１１０３―３は前記電界パルスを受信させ、信号発射器１１０３―１〜１１０３―２及び信号発射器１１０３―５〜１１０３―８は電界パルスを受信させない。第五サブ期間Ｔ５で信号送受信機１１０３―１及び信号送受信機１１０２―２が前記電界パルスを受信させ、信号発射器１１０３―３〜１１０３―４及び信号発射器１１０３―６〜１１０３―８は電界パルスを受信させない。
【００４３】
図１０Ａの識別カード内の導体電極１００２―６は導体電極１００２―７に電気的に接続され、これにより、第六サブ期間Ｔ６で信号送受信機１１０３―７は電界パルスを受信させ、残りの受信状態にある信号送受信機１１０３―１〜１１０３―５及び信号送受信機１１０３―８は電界パルスを受信させない。第七サブ期間Ｔ７で信号送受信機１１０３―６は電界パルスを受信させ、信号送受信機１１０３―１〜１１０３―５及び信号送受信機１１０３―８は電界パルスを受信させない。図１０Ａの識別カード内の導体電極１００２―８はいかなる導体電極にも電気的に接続されず、このため、第八サブ期間Ｔ８で信号送受信機１００３―１〜１００３―７は電界パルスを受信させない。
【００４４】
上述の信号受信機１１０３―１〜１１０３―８が各期間内で受信させる信号により、マイクロプロセッサ１１０２はカードの導体電極１００２―１、導体電極１００２―２及び１００２―５の相互の電気的接続、導体電極１００２―３及び導体電極１００２―４の相互の電気的接続、及び導体電極１００２―６及び導体電極１００２―７の相互の電気的接続を判断させる。これにより、マイクロプロセッサ１１０２はカードの識別コードを判断させる。
【００４５】
この好ましい実施形態では、本技術分野で通常知識を有する者ならば、電界検知技術の精確性が容量検知技術の精確性より高いと知っている。容量検知技術が薄い検出電極の検知に応用される場合、検知は難しく、感度を高めると誤判断が起き易い。本実施形態に係る電界検知技術は上述の問題を完全に解決させる。なお、上述の複数の実施形態では、カード読み取り装置は容量検知或いは電界パルスによりカードの識別コードを検知するが、しかし本分野で通常知識を有する者ならば、本実施形態には電磁検知技術を使用してもよいと分かり、導体の物理特性を利用しカードの識別コードを検知させるものならば、本発明の範疇に含まれる。故に本発明は前記に限定されない。
【００４６】
同様に、カード読み取り装置は信号送受信機の配列１１０１を備え、信号送受信機の配列１１０１は４×２個の信号送受信機１１０３―１〜１１０３―８を含み、本技術分野で通常知識を有する者ならば、信号送受信機の配列１１０１は４×２個以上の信号送受信機を備えれば４×２個の導体電極を有する識別カードを検知可能であると理解できる。つまり、信号送受信機の配列１１０１は、例えば１０×１０個の信号送受信機を備える。検知方法は同じであるため再述は省く。
【００４７】
図１４は本発明の一実施形態に係る識別コードの識別システムを示す概略図である。この好ましい実施形態では、識別コードの識別システムは識別カード１４０１及びスマートフォン１４０２を備える。前記スマートフォン１４０２はタッチパネル１４０３を有すると共に前記スマートフォン１４０２内部には事前にプログラムがプリインストール（ｉｎｓｔａｌｌ）される。前記プログラムは識別カード１４０１を検知させる。使用者が上述のスマートフォン１４０２のデフォルトの機能のロックを解除すると、使用者は先ず識別カード１４０１を上述のスマートフォン１４０２のタッチパネル１４０３に接近させ、タッチパネル１４０３により識別カード１４０１内の導体電極の容量の分布が読み取られ、これにより識別カード１４０１の識別コードが判断される。識別コードとプログラムの識別コードが合致する場合、上述のプログラムはスマートフォン１４０２のデフォルトの機能によりロックを解除させる。上述のデフォルトの機能は例えばスマートフォンのロック解除機能や金融取引機能等である。これにより、使用者がスマートフォンを紛失しても、スマートフォン内のデータの遺失や、何者かがスマートフォンを不正利用し取引を行う危険性を防止させる。
【００４８】
上述の実施形態は本発明の応用の一つを説明したものに過ぎない。本発明の実施形態で提供される識別カードは、カードキー或いはあらゆる個人認証装置でもよい。本発明び実施形態に係る識別カードも、ゲームやおもちゃのカードでもよい。例えば、おもちゃ或いはゲーム機がカード読み取り装置を有し、おもちゃは読み取るカード毎に異なる反応、動作、或いは攻撃能力等を示し、ゲームの趣向性を高める。
【００４９】
上述の実施形態はスマートフォン１４０２を例にするが、本技術分野で通常知識を有する者ならば、タブレット端末、タッチ型ノートパソコン等もカード読み取り装置として使用可能であると理解できる。また、この好ましい実施形態では、スマートフォンのタッチパネルをカード読み取り装置とするが、本技術分野者に習熟する者ならば、スマートフォンでは接続ポートにカード読み取り装置を外付けさせてもよいと分かる。よって本発明は前記に制限されない。
【００５０】
このほか、市場ではムシキングのカードゲーム等がよく見かけられる。前記のカードゲームシステムは紙のカードの後方のバーコード（ＢＡＲ  ＣＯＤＥ）を利用し、ゲーム機のバーコード読み取り機器により光学検知させ、プレーヤーとコンピュータ或いは他のプレーヤーとが対戦する。本発明では低コストの導体電極方式が使用され、ゲームカードの後方にバーコード（ＢＡＲ  ＣＯＤＥ）を付属させる必要がなく、バーコードの空間を他のものに利用可能である。このため、カードの質感を高められる。
【００５１】
上述したように、本発明の目的は導体電極の配列の組合せを利用し、異なるパターンを形成させる事である。カード読み取り装置は検知装置により導体電極（Ｃｏｎｄｕｃｔｏｒ  Ｐａｄ）の位置或いは数量を判断させるのみであり、これにより識別カードが対応させる識別コードを判断させる。検知装置は容量検知装置、金属検知、或いは電磁検知等の装置を用いて実施される。カード内部の導体電極の配列の組合せのみで識別コードを表現でき、これにより識別カードの製造コストを削減させる。
【００５２】
以上、本発明の実施形態について図面を参照して詳述したが、具体的な構成はこの実施形態に限られるものではなく、本発明の要旨を逸脱しない範囲の設計変更等も含まれる。
【符号の説明】
【００５３】
2015207267.tif 000003
2015207267.tif 000004
2015207267.tif 000005
2015207267.tif 000006
【図１】
2015207267.tif 000007
【図２Ａ】
2015207267.tif 000008
【図２Ｂ】
2015207267.tif 000009
【図３Ａ】
2015207267.tif 000010
【図３Ｂ】
2015207267.tif 000011
【図４Ａ】
2015207267.tif 000012
【図４Ｂ】
2015207267.tif 000013
【図５Ａ】
2015207267.tif 000014
【図５Ｂ】
2015207267.tif 000015
【図６】
2015207267.tif 000016
【図７】
2015207267.tif 000017
【図８】
2015207267.tif 000018
【図９】
2015207267.tif 000019
【図１０Ａ】
2015207267.tif 000020
【図１０Ｂ】
2015207267.tif 000021
【図１１】
2015207267.tif 000022
【図１２】
2015207267.tif 000023
【図１３】
2015207267.tif 000024
【図１４】
2015207267.tif 000025
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
カード読み取り装置を利用して識別コードを識別する識別カードであって、前記識別カードは、
カードケースと、      
前記カードケース内に並列に配置され、複数の第一特定導体電極が電気的に接続され、特定の識別コードが表示される複数の導体電極を備え、
また、前記カード読み取り装置は面形状の検知器を含み、前記識別カードが前記カード読み取り装置の面形状の検知器に接近すると、前記面形状の検知器は上述の電気的に接続されるこれら前記第一特定導体電極が構成させる形状に基づいて、上述の識別カードの前記特定の識別コードを判断させ、これら前記導体電極の配列はＮ×Ｍの導体電極の配列になり、前記面形状の検知器は、
少なくともＮ×Ｍ個の検出電極で構成され、各これら前記検出電極の位置はこれら前記導体電極の位置に対応する検出電極の配列を備え、
ここでは、測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の検出電極により容量の検知が行われ、残りの検出電極は静置状態で設置され、論理低電位としての設置が行われ、
第（ｉ、ｊ）タイムスロットで前記カード読み取り装置は前記識別カード中の第（ｉ、ｊ）個の導体電極及び第（ｉ、ｊ）個の検出電極により構成される容量値を検知させ、且つこれらに基づいてこれら前記第一特定導体電極により構成される形状が判断され、前記識別カードが対応させる前記特定の識別コードが判断され、ここでは、Ｎ、Ｍ、ｉ、ｊは正整数であることを特徴とする識別カード。
【請求項２】
前記識別カードは、
前記複数の第一特定導体電極が共に電気的に接続される接地導体を更に備えることを特徴とする、請求項１に記載の識別カード。
【請求項３】
第（ｉ、ｊ）タイムスロットで前記カード読み取り装置は前記識別カード中の第（ｉ、ｊ）個の導体電極及び第（ｉ、ｊ）個の検出電極により構成される容量値が閾値より大きか検知させ、且つこれらに基づいてこれら前記第一特定導体電極により構成される形状が判断され、前記識別カードが対応させる前記特定の識別コードが判断されることをさらに含むことを特徴とする、請求項１に記載の識別カード。
【請求項４】
前記カード読み取り装置はスマートフォンであり、前記面形状の検知器は前記スマートフォンのタッチパネルであることを特徴とする、請求項１に記載の識別カード。
【請求項５】
カード読み取り装置を利用して識別コードを識別する識別カードであって、前記識別カードは、
カードケースと、
前記カードケース内に並列に配置され、複数の第一特定導体電極が電気的に接続され、特定の識別コードが表示される複数の導体電極を備え、
また、前記カード読み取り装置は面形状の検知器を含み、前記識別カードが前記カード読み取り装置の面形状の検知器に接近すると、前記面形状の検知器は上述の電気的に接続されるこれら前記第一特定導体電極が構成させる形状に基づいて、上述の識別カードの前記特定の識別コードを判断させ、これら前記導体電極の配列はＮ×Ｍの導体電極の配列になり、前記面形状の検知器は、
少なくともＮ×Ｍ個の信号送受信機で構成され、各これら前記信号送受信機の位置はこれら前記導体電極の位置に対応する信号送受信機の配列を備え、
ここでは測定周期は少なくともＮ×Ｍのタイムスロット（Ｔｉｍｅ  Ｓｌｏｔ）に分かれ、
また、第（ｉ、ｊ）タイムスロットで第（ｉ、ｊ）個の信号送受信機から電界パルスが発射され、且つ残りのこれら前記信号送受信機を受信機として前記電界パルスを受信させ、
これら前記第一特定導体電極の何れか一つの第一特定導体電極が前記電界パルスを受信させると、残りの第一特定導体電極が対応させる信号送受信機は共に前記電界パルスを受信させ、これにより、前記カード読み取り装置はこれら前記第一特定導体電極により構成される形状を判断させ、前記識別カードが対応させる前記特定の識別コードが判断され、ここでは、Ｎ、Ｍ、ｉ、ｊは正整数であることを特徴とする識別カード。
【請求項６】
これら前記導体電極の複数の第二特定導体電極が電気的に接続され、これら前記第一特定導体電極はこれら前記第二特定導体電極に電気的に接続せず、
また、これら前記第二特定導体電極の何れか一つの第二特定導体電極により前記電界パルスが受信されると、残りの第二特定導体電極が対応させる信号送受信機が共に前記電界パルスを受信させ、これにより、前記カード読み取り装置はこれら前記第一特定導体電極及びこれら前記第二導体電極により構成される形状を判断させ、前記識別カードが対応させる前記特定の識別コードが判断されることを特徴とする、請求項５に記載の識別カード。
【請求項７】
前記カード読み取り装置はスマートフォンであり、前記面形状の検知器係は前記スマートフォンのタッチパネルであることを特徴とする、請求項５に記載の識別カード。
【請求項８】
少なくとも一枚の識別カードと、
識別コードの識別を行うカード読み取り装置を備え、各これら前記識別カードは、
カードケースと、
前記カードケースに並列に配置され、複数の第一特定導体電極が電気的に接続され、特定の識別コードが表示される複数の導体電極を更に備え、
また、前記カード読み取り装置は、
前記識別カードが前記カード読み取り装置の前記面形状の検知器に接近すると、前記面形状の検知器は上述の電気的に接続されるこれら前記第一特定導体電極により構成される形状に基づいて、前記識別カードの前記特定の識別コードを判断させる面形状の検知器を更に含み、これら前記導体電極の配列はＮ×Ｍの導体電極の配列になり、前記面形状の検知器は、
少なくともＮ×Ｍ個の検出電極で構成され、各これら前記検出電極の位置はこれら前記導体電極の位置に対応する検出電極の配列を備え、
ここでは、測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の検出電極により容量検知が行われ、残りの検出電極は静置状態で設置され、論理低電位での設置が行われ、
第（ｉ、ｊ）タイムスロットで前記カード読み取り装置は前記識別カード中の第（ｉ、ｊ）個の導体電極及び第（ｉ、ｊ）個の検出電極により構成される容量値を検知させ、且つこれらに基づいてこれら前記第一特定導体電極により構成される形状が判断され、前記識別カードが対応させる前記特定の識別コードが判断され、ここではＮ、Ｍ、ｉ、ｊは正整数であることを特徴とする識別コードの識別システム。
【請求項９】
前記識別カードは、
前記複数の第一特定導体電極が共に電気的に接続される接地導体を更に備えることを特徴とする、請求項８に記載の識別コードの識別システム。
【請求項１０】
第（ｉ、ｊ）タイムスロットで前記カード読み取り装置は前記識別カード中の第（ｉ、ｊ）個の導体電極及び第（ｉ、ｊ）個の検出電極により構成される容量値が閾値より大きいか検知させ、且つこれらに基づいてこれら前記第一特定導体電極により構成される形状が判断され、前記識別カードが対応させる前記特定の識別コードが判断されることを特徴とする、請求項８に記載の識別コードの識別システム。
【請求項１１】
前記カード読み取り装置はスマートフォンであり、前記面形状の検知器は前記スマートフォンのタッチパネルであることを特徴とする、請求項８に記載の識別コードの識別システム。
【請求項１２】
少なくとも一枚の識別カードと、
識別コードの識別を行うカード読み取り装置を備え、各これら前記識別カードは、
カードケースと、
前記カードケースに並列に配置され、複数の第一特定導体電極が電気的に接続され、特定の識別コードが表示される複数の導体電極を更に備え、
また、前記カード読み取り装置は、
前記識別カードが前記カード読み取り装置の前記面形状の検知器に接近すると、前記面形状の検知器は上述の電気的に接続されるこれら前記第一特定導体電極により構成される形状に基づいて、前記識別カードの前記特定の識別コードを判断させる面形状の検知器を更に含み、
これら前記導体電極の配列はＮ×Ｍの導体電極の配列になり、前記面形状の検知器は、
少なくともＮ×Ｍ個の信号送受信機で構成され、各これら前記信号送受信機の位置はこれら前記導体電極の位置に対応する信号送受信機の配列を備え、
ここでは測定周期は少なくともＮ×Ｍのタイムスロット（Ｔｉｍｅ  Ｓｌｏｔ）に分けられ、
また、第（ｉ、ｊ）タイムスロットで第（ｉ、ｊ）個の信号送受信機から電界パルスが発射され、且つ残りのこれら前記信号送受信機を受信機として前記電界パルスを受信させ、
これら前記第一特定導体電極の何れか一つの第一特定導体電極が前記電界パルスを受信させると、残りの第一特定導体電極が対応させる信号送受信機は共に前記電界パルスを受信させ、これにより、前記カード読み取り装置はこれら前記第一特定導体電極により構成される形状を判断させ、前記識別カードが対応させる前記特定の識別コードが判断され、ここではＮ、Ｍ、ｉ、ｊは正整数であることを特徴とする識別コードの識別システム。
【請求項１３】
これら前記導体電極の複数の第二特定導体電極が電気的に接続され、これら前記第一特定導体電極はこれら前記第二特定導体電極に電気的に接続されず、
また、これら前記第二特定導体電極の何れか一つの第二特定導体電極が前記電界パルスを受信させると、残りの第二特定導体電極が対応させる信号送受信機は共に前記電界パルスを受信させ、これにより、前記カード読み取り装置はこれら前記第一特定導体電極及びこれら前記第二導体電極により構成される形状を判断させ、前記識別カードが対応させる前記特定の識別コードが判断されることを特徴とする、請求項１２に記載の識別コードの識別システム。
【請求項１４】
カード読み取り装置を利用し識別コードを識別させる識別カードであって、前記識別カードは、
カードケースと、
前記カードケース内に配置される複数の電極の固定位置と、
上述の複数の電極の固定位置の内の少なくとも一つの電極の固定位置に配置される少なくとも一つの特定導電電極を備え、
ここでは、前記識別カード内に配置される特定導電電極の位置は特定の識別コードに基づいて改変され、また、前記カード読み取り装置は面形状の検知器を更に含み、
前記識別カードが前記カード読み取り装置の面形状の検知器に接近すると、前記面形状の検知器は前記特定の導電電極の位置に基づいて、上述の識別カードの前記特定の識別コードを判断させることを特徴とする識別カード。
【請求項１５】
前記カード読み取り装置の前記面形状の検知器は面形状の容量式検知器であり、
ここでは、前記面形状の検知器は前記識別カード上の各電極の固定位置及び前記面形状の容量式検知器により構成される容量が容量閾値より大きいか検知され、且つこれらに基づいてこれら前記特定導体電極の位置が判断され、前記識別カードが対応させる前記特定の識別コードが判断されることを特徴とする、請求項１４に記載の識別カード。
【請求項１６】
前記カード読み取り装置はスマートフォンであり、前記面形状の検知器は前記スマートフォンのタッチパネルであることを特徴とする、請求項１４に記載の識別カード。